【事件の表示】
　商願２００４−１０８９５拒絶査定不服審判事件について、次のとおり審決する。
【結　論】
　本件審判の請求は、成り立たない。
【理　由】
１　本願商標
　本願商標は、「エコブック」の片仮名文字と「ＥＣＯＢＯＯＫ」の欧文字とを上下二段に書してなり、第３８類「電気通信（放送を除く。），放送，報道をする者に対するニュースの供給，電話機・ファクシミリその他の通信機器の貸与」及び第４１類「当せん金付証票の発売，技芸・スポーツ又は知識の教授，献体に関する情報の提供，献体の手配，セミナーの企画・運営又は開催，動物の調教，植物の供覧，動物の供覧，電子出版物の提供，図書及び記録の供覧，美術品の展示，庭園の供覧，洞窟の供覧，書籍の制作，映画・演芸・演劇又は音楽の演奏の興行の企画又は運営，映画の上映・制作又は配給，演芸の上演，演劇の演出又は上演，音楽の演奏，放送番組の制作，教育・文化・娯楽・スポーツ用ビデオの制作（映画・放送番組・広告用のものを除く。），放送番組の制作における演出，映像機器・音声機器等の機器であって放送番組の制作のために使用されるものの操作，スポーツの興行の企画・運営又は開催，興行の企画・運営又は開催（映画・演芸・演劇・音楽の演奏の興行及びスポーツ・競馬・競輪・競艇・小型自動車競走の興行に関するものを除く。），競馬の企画・運営又は開催，競輪の企画・運営又は開催，競艇の企画・運営又は開催，小型自動車競走の企画・運営又は開催，音響用又は映像用のスタジオの提供，運動施設の提供，娯楽施設の提供，映画・演芸・演劇・音楽又は教育研修のための施設の提供，興行場の座席の手配，映画機械器具の貸与，映写フィルムの貸与，楽器の貸与，運動用具の貸与，テレビジョン受信機の貸与，ラジオ受信機の貸与，図書の貸与，レコード又は録音済み磁気テープの貸与，録画済み磁気テープの貸与，ネガフィルムの貸与，ポジフィルムの貸与，おもちゃの貸与，遊園地用機械器具の貸与，遊戯用器具の貸与，書画の貸与，写真の撮影，通訳，翻訳，カメラの貸与，光学機械器具の貸与」を指定役務として、平成１６年２月９日に登録出願されたものである。
　
２　原査定の拒絶の理由の要点
　原査定は、「本願商標は、『環境に関する図書』を意味する語として一般に使用されている「エコブック」、「ＥＣＯＢＯＯＫ」の文字を２段に書してなるから、これを「報道をする者に対するニュースの供給，書籍の制作，図書の貸与」等に使用しても、取引者・需要者は、その内容を表わしているものと把握するに止まり、単に役務の質を表示するにすぎず、自他役務の識別標識としての機能を有しないものと認める。したがって、本願商標は、商標法第３条第１項第３号に該当し、前記役務以外の役務に使用するときは、役務の質の誤認を生じさせるおそれがあるから商標法第４条第１項第１６号に該当する。」旨認定、判断をして、本願を拒絶したものである。
　
３　当審の判断
　本願商標は、前記のとおりの構成よりなるところ、その構成中前半部の「エコ／ＥＣＯ」の文字は、「環境の。生態（学）の。」の意で「エコグッズ」、「エコツアー」のように複合語をつくる語であり、構成中後半部の「ブック／ＢＯＯＫ」の文字は、「本。書物。書籍。図書。」を意味する語であって、いずれの語も一般に極めて親しまれた語であることに加え、近年、環境問題に対する関心の高まりとともに、環境関連の図書が注目を集めていることからすれば、これよりは全体として原審説示の如く「環境に関する図書」の意味合いを容易に認識するものというのが相当である。
　このことは、以下の新聞記事、インターネットのホームページからも裏付けられるところである。
（１）「エコ同志社、快調 学生と生協がレジ袋追放など進める＝京都
　環境問題を意識した大学生活を送ろうと、同志社大学と同志社女子大学の学生有志による実行委員会が、同志社生協と連携、今月からレジ袋を使わない学生らに特典を付けるなど「エコキャンパス・キャンペーン」を始め、成果を挙げている。マイバッグの持参も勧め、十七日、京田辺キャンパスでバッグのデザインコンテストを開くなど、エコライフを楽しもうと工夫している。・・・書籍部では「
エコブック
（２）「環境図書目録の最新版『
エコブック
　
環境問題を扱った図書
エコブック
（３）「［編集手帳］「
エコブック
　ロンドンやパリと並ぶ百万都市の江戸は、有数の美しい街でもあった。街路の清潔さに驚いて「だれも歩かないのでは」と、書き残した外国人もいた◆江戸は理想的なリサイクル都市だった。日常のすべての品々が、修理・再生される。・・・◆江戸の文化水準の高さが、最近さまざまに見直されている。とりわけ、資源をムダにしない江戸庶民の生き方は、現代の私たちが最も学ぶべき知恵かも知れない。江戸三百年はまさに、環境にやさしいエコロジー時代と言えるだろう◆これらの話題は書籍販売会社トーハン（東京三二六六−九五二一）の「
エコブック
環境関連の書物
（４）「環境市民ゾーン〜市民・ＮＧＯ出展のコーナー
　暮らしのあらゆる場面でエコライフが実践できるよう、いろいろな団体が活動しています。私にもできる！ということをぜひ見つけてください。・・・
★
エコブック
　・環境問題・環境活動について、あなたの知りたい！ に答える本に出会える
　　出展団体：日本消費者連盟／ほんの木／（社）農山漁村文化協会」
（http://www.env.go.jp/guide/envdm/ecolife-fair2000/ngo.html）
（５）「Ｓ−ＷＯＭＡＮ．ｎｅｔ／ＬＥＥｗｅｂ
　これまでにLEE本誌でご紹介したホームページのリンク集。
ショッピングから健康、料理、旅行などなど、すぐに役立つホームページばかりです。
ぜひ、活用して下さい。
□青山ブックセンターインターネットショップ（http://www.aoyamabc.co.jp/）
　青山ブックセンターのＨＰ。ベストテン情報やスタッフお勧め本、
エコブック
（６）「環境関連・イベント情報掲示板／2000年6月〜
エコライフ・フェア2000
〜循環社会捨てずに生かす新時代〜
◇日　時：６月10日（土）11:00〜17:00
◇場　所：11日（日）10:00〜17:00
◇参加費：都立代々木公園 園路 入場無料
◇主　催：エコライフ・フェア2000実行委員会、環境庁、東京都、渋谷区、 環境事業団、公害健康被害補償予防協会、（財）経済広報センタ−、 （財）水と緑の惑星保全機構、（財）日本環境協会、（財）地球環境財 団、（財）環境情報普及センター、（財）自然環境研究センター、渋谷 区商店会連合会事務局
◇連絡先：電話 : 環境庁広報室　03-3581-3351
　　　　　URL: http://www.eic.or.jp/eanet/ecolife-fair/
　子どもから大人まで、楽しみながら環境・エコライフを学べる屋外イベント。地球にやさしい企業・技術展、エコグッズが当たるクイズや環境ＮＧＯコーナー、
エコBOOK
（７）「６月環境月間　清掃やシンポ　京都市など催し多彩
　六月の「環境月間」に合わせ、京都市と京エコロジーセンター（伏見区深草池ノ内町）は、若者らによる清掃活動や雨水利用についてのシンポジウムなど多彩な催しを企画し、市民の参加を呼びかける。・・・
　このほか、市内の各市立図書館は六月中、「
環境図書
（2006.05.30　京都新聞　朝刊　24頁）」
（８）「来てみて　京都市動物園　美大生ら、スケッチ真剣　京エコロジーセンター　
環境図書
京都市動物園（京都市左京区岡崎法勝寺町）・・・
環境図書
　スギの間伐材を使った本棚に、蔵書がずらりと並ぶ。環境関連に限定して書物や資料、雑誌をそろえる図書コーナー＝写真＝。小中学生や高校生が環境についての資料として活用しているほか、閉館が午後九時と遅いため、仕事を終えた社会人の利用も多い。
　蔵書は雑誌を含め約三千八百冊。「
環境関連の図書
　ビデオやＤＶＤもあり、イヤホンを着けて見られる。蔵書の貸し出しはしていない。」
（2004.10.30　京都新聞　朝刊　24頁）
（９）「小中学生に人気　「環境コーナー」　輪之内町立図書館　授業の資料集めに利用
　【岐阜県】輪之内町立図書館が昨年四月から開設した
環境図書
　輪之内町は環境問題に積極的に対処し、昨年一月、国際標準化規格「ＩＳＯ１４００１」を取得した。その取り組みの一環として住民にも環境についてよく知ってもらおうと、
環境図書
環境関連の書籍
（2001.02.07　中日新聞　朝刊　17頁　西濃総合版）
　そうとすれば、本願商標は、これをその指定役務中「電子出版物の提供，図書及び記録の供覧，書籍の制作，図書の貸与」に使用しても、単にその役務に供されるものが「環境に関する図書」であることを示すにとどまり、その役務の質（内容）を表示するにすぎないものであって、かつ、前記文字に照応する役務以外の役務に使用するときは、役務の質の誤認を生じさせるおそれがあるものといわざるを得ない。
　してみれば、本願商標が商標法第３条第１項第３号及び同法第４条第１項第１６号に該当するとの原査定は妥当なものであって、これを取り消すことはできない。
　よって、結論のとおり審決する。